(57)【要約】【課題】長尺物の巻き戻りを抑え、かつ、長尺物の引き出し性を向上可能にした収納容器、および、巻回体入り収納容器を提供する。【解決手段】長尺物の巻回体を収納するための容器本体２０と、後板２２の上辺に回動可能に連設されて容器本体２０の開口２０Ｔを開閉するための上板３１と、上板３１の前辺に連設されて上板３１が開口２０Ｔを閉じた状態で前板２１の上部を前板２１の前側から覆う掩蓋板３２Ｐとを備える蓋体３０と、掩蓋板３２Ｐの下端に沿って取り付けられた切断刃４０と、を備え、容器本体２０は、前板２１の上辺２１Ｔに連設された抑え板２６であって、長尺物を引き出す隙間２０Ｇを開口に空けて開口２０Ｔの一部を覆う抑え板２６を備え、抑え板２６において上板３１と対向する上面が、上板３１に向かって突き出る突部２６Ｔを備える。【選択図】図２
2019099183.tif 000002
【特許請求の範囲】
【請求項１】
前板、後板、左板、右板、および、底板を備え、前記底板と対向する上面が開口した容器本体であって、長尺物の巻回体を収納するための前記容器本体と、
前記後板の上辺に回動可能に連設されて前記容器本体の開口を開閉するための上板と、前記上板の前辺に連設されて前記上板が前記開口を閉じた状態で前記前板を前記前板の前側から覆う掩蓋板とを備える蓋体と、
前記掩蓋板の下端に沿って取り付けられた切断刃と、を備え、
前記容器本体は、前記前板、前記後板、前記左板、および、前記右板の少なくとも１つの上辺に連設された抑え板であって、前記長尺物を引き出す隙間を前記開口に空けて前記開口の一部を覆う前記抑え板を備え、前記抑え板において前記上板と対向する上面が、凹構造または凸構造である段差構造を備える
収納容器。
【請求項２】
前記段差構造は、凸構造を備え、
前記抑え板は、前記長尺物との接触で前記長尺物を仮止めする仮止め部を備え、
前記仮止め部は、前記抑え板の上面のなかで前記凸構造以外の部位に位置する
請求項１に記載の収納容器。
【請求項３】
前記段差構造は、凹構造を備え、
前記抑え板は、前記長尺物との接触で前記長尺物を仮止めする仮止め部を備え、
前記仮止め部は、前記抑え板の上面のなかで前記凹構造の底部に位置する
請求項１に記載の収納容器。
【請求項４】
前記仮止め部は、条件を満たすニス層であり、
前記条件は、JIS Z-0237:2009「粘着テープ・粘着シート試験方法」に準じた測定において、幅２５ｍｍのニス層のサンプル片と前記長尺物とのズリ強度が５．８Ｎ／２５ｍｍ以上を満たすことである
請求項２または３に記載の収納容器。
【請求項５】
前記巻回体の軸方向における前記仮止め部の有する幅は、前記長尺物が有する幅の３０％以上である
請求項２〜４のいずれか一項に記載の収納容器。
【請求項６】
前記抑え板は、前記前板の上辺に連設され、
前記仮止め部は、前記抑え板の上面から前記前板の上辺を介して前記前板の前面上端まで位置する
請求項２から５のいずれか一項に記載の収納容器。
【請求項７】
前記抑え板において前記巻回体の軸方向での前記段差構造の位置する範囲は、前記抑え板の３０％以上である
請求項１から６のいずれか一項に記載の収納容器。
【請求項８】
長尺物が巻かれた巻回体と、
請求項１から７のいずれか一項に記載の収納容器と、を備える
巻回体入り収納容器。
【発明の詳細な説明】
【技術分野】
【０００１】
本発明は、長尺物の巻回体を収納するための収納容器、および、巻回体入り収納容器に関する。
【背景技術】
【０００２】
上述した収納容器は、上面が開口した容器本体と、開口を開閉するための蓋体とを備える。容器本体は、底板から立設する周壁を備え、容器本体の開口は、周壁の上辺によって区画される。容器本体の周壁は、互いに向かい合う前板と後板とを含む。蓋体は、後板の上辺に回動可能に連設された上板と、上板に連設された掩蓋板とを備える。上板は、蓋体が開口を閉じた状態で、後板の上辺から前板に向けて延びる形状を有し、容器本体の開口を覆う。掩蓋板は、蓋体が閉じられている状態で、上板の前辺から底板に向けて延びる形状を有し、前板を前板の前側から覆う。
【０００３】
上記収納容器は、長尺物を切断するための切断刃を備える。切断刃は、蓋体が開口を閉じた状態で、掩蓋板の下端に取り付けられている。切断刃は、例えば鋸刃状を有し、掩蓋板から下方に向けて突出する複数の刃先を備える。長尺物は、例えば、ラップフィルムの巻回体であり、ラップフィルムの幅方向を巻回体の軸方向として、容器本体に収納される。
【０００４】
ここで、ラップフィルムの利用者は、まず、開蓋した容器本体からラップフィルムを引き出し、次いで、閉蓋した容器本体で掩蓋板と切断刃とを前板に向けて押し付け、切断刃をラップフィルムに刺し込み、それによって、ラップフィルムを切断する。この際、ラップフィルムにおける切断端は、引き出すための力などから解放されて、切断時の反動によって容器本体の内部に戻ることがある。巻回体に一旦巻き戻された切断端は、次回の引き出しを困難なものとする要因となる。そこで、上述した収納容器においては、切断端が巻き戻ることを抑えるために、容器本体の開口の一部を覆う抑え板を前板などの上辺に連設させる構成が提案されている（特許文献１〜３を参照）。
【先行技術文献】
【特許文献】
【０００５】
【特許文献１】ＷＯ２０１２／１３７３８３号公報
【特許文献２】特開２００９−１６６８７２号公報
【特許文献３】特開２００６−２０６１１０号公報
【発明の概要】
【発明が解決しようとする課題】
【０００６】
一方、開口の一部を覆う抑え板を備えた構成では、抑え板とラップフィルムとを接触させながらラップフィルムを引き出すことになる。結果として、ラップフィルムの引き出しに対する抵抗感を利用者に与えてしまい、引き出し性を低下させるという新たな課題を招来させている。
本発明は、長尺物の巻き戻りを抑え、かつ、長尺物の引き出し性を向上可能にした収納容器、および、巻回体入り収納容器を提供することを目的とする。
【課題を解決するための手段】
【０００７】
上記課題を解決するための収納容器は、前板、後板、左板、右板、および、底板を備え、前記底板と対向する上面が開口した容器本体であって、長尺物の巻回体を収納するための容器本体と、前記後板の上辺に回動可能に連設されて前記容器本体の開口を開閉するための上板と、前記上板の前辺に連設されて前記上板が前記開口を閉じた状態で前記前板を前記前板の前側から覆う掩蓋板とを備える蓋体と、前記掩蓋板の下端に沿って取り付けられた切断刃と、を備え、前記容器本体は、前記前板、前記後板、前記左板、および、前記右板の少なくとも１つの上辺に連設された抑え板であって、前記長尺物を引き出す隙間を前記開口に空けて前記開口の一部を覆う前記抑え板を備え、前記抑え板において前記上板と対向する上面が凹構造または凸構造である段差構造を備える。
上記課題を解決するための巻回体入り収納容器は、長尺物が巻かれた巻回体と、上記収納容器とを備える。
【０００８】
上記各構成によれば、開口の一部を覆う抑え板は、開口に空けられた隙間から長尺物が引き出されることを可能とし、かつ、開口の全体が開放された構成と比べて、容器本体の内部に長尺物が巻き戻ることを抑える。そして、開口に開けられた隙間から長尺物が引き出される際には、抑え板の上面と長尺物とが接触するが、抑え板と長尺物とが接触しやすい部位は、抑え板の上面に凹構造または凸構造が位置することで、抑え板と長尺物が接触する面積を小さくすることができる。結果として、抑え板の上面が平坦面である構成と比べて、長尺物と抑え板とが接触する面積を小さくし、それによって、長尺物の引き出しに伴う抵抗感を抑えることが可能となる。それゆえに、長尺物の巻き戻りを抑え、かつ、長尺物の引き出し性を向上することが可能となる。なお、長尺物を引き出すための隙間を空けて抑え板が開口を覆うため、長尺物の端を開口から引き出す作業が容易でもある。
【０００９】
上記収納容器において、前記段差構造は、凸構造を備え、前記抑え板は、前記長尺物との接触で前記長尺物を仮止めする仮止め部を備え、前記仮止め部は、前記抑え板の上面のなかで前記凸構造以外の部位に位置してもよい。この収納容器によれば、抑え板の上面が凸構造と仮止め部とを備えるため、凸構造による引き出し性の向上と、仮止め部による巻き戻りの抑制とが可能となる。そして、抑え板の上面のなかで、引き出し性を高めやすい部位に凸構造を配置すること、および、巻き戻りを抑えやすい部位に仮止め部を配置することが可能ともなる。それゆえに、巻き戻りの抑制と、引き出し性の向上との両立を図りやすい構成を提供することが可能であって、また、これらを両立させるための設計の自由度を高めることが可能ともなる。
【００１０】
上記収納容器において、前記段差構造は、凹構造を備え、前記抑え板は、前記長尺物との接触で前記長尺物を仮止めする仮止め部を備え、前記仮止め部は、前記抑え板の上面のなかで前記凹構造の底部に位置してもよい。この収納容器によれば、抑え板の上面に凹構造を有し、凹構造の底部に仮止め部を備えるため、引出しの際に長尺物が仮止め部に接触し難くすることで、引き出し抵抗を軽減することができる。よって、凹構造による引き出し性の向上と、仮止め部による巻き戻りの抑制とが可能となる。
【００１１】
上記収納容器において、前記仮止め部は、条件を満たすニス層であり、前記条件は、JIS Z-0237:2009「粘着テープ・粘着シート試験方法」に準じた測定において、幅２５ｍｍのニス層のサンプル片と前記長尺物とのズリ強度が５．８Ｎ／２５ｍｍ以上を満たすことであってもよい。この収納容器によれば、仮止め部がニス層に具体化されて、そのニス層でのズリ強度が上述の範囲に定められる。ズリ強度が５．８Ｎ／２５ｍｍ以上を満たす構成であるから、長尺物の巻き戻りを仮止め部で的確に抑えることが可能となる。
【００１２】
上記収納容器において、前記巻回体の軸方向における前記仮止め部の有する幅は、前記長尺物が有する幅の３０％以上であってもよい。この構成によれば、巻回体の軸方向における仮止め部の有する幅が、長尺物が有する幅の３０％以上であるから、長尺物が巻き戻ったとしても抑え板の上面での仮止め部に長尺物が係止される可能性が極めて高くなる。よって、長尺物の巻き戻りを的確に抑えることが可能ともなる。特に、巻回体の軸方向における長尺物の端部を仮止めすることが可能ともなるため、長尺物の巻き戻りを抑え板そのものが抑えることと相まって、長尺物の切断端が巻き戻ることを、より確実に抑えることが可能ともなる。
【００１３】
上記収納容器において、前記抑え板は、前記前板の上辺に連設され、前記仮止め部は、前記抑え板の上面から前記前板の上辺を介して前記前板の前面上端まで位置してもよい。切断刃によって切断された長尺物の切断端は、掩蓋板と前板との間に位置し、切断端に繋がる長尺物は、抑え板の上面と上板との間に位置し、前板の上辺で折れ曲がる。そして、抑え板の上面と、前板の前面上端とに跨る仮止め部は、前板の前面上端や、前板の上辺などにおいても、長尺物と接触する。それゆえに、仮止め部による巻き戻りの抑制が、抑え板の上面のみならず、前板の上辺などにおいて、より的確に実現される。
【００１４】
上記収納容器では、前記抑え板において前記巻回体の軸方向での前記段差構造の位置する範囲は、前記抑え板の３０％以上であってもよい。この構成によれば、巻回体の軸方向における段差構造の位置する範囲が抑え板の３０％以上であるから、３０％未満の構成と比べて、抑え板との接触による抵抗感の抑制範囲を広げることが可能ともなる。結果として、長尺物と抑え板との接触する部位が、巻回体の軸方向においてばらつきを有するとしても、上述した引き出し性の向上を効果として得られる確度を高めることが可能ともなる。
【発明の効果】
【００１５】
本発明によれば、長尺物の巻き戻りを抑え、かつ、長尺物の引き出し性を向上することが可能となる。
【図面の簡単な説明】
【００１６】
【図１】巻回体入り収納容器の一実施形態における構造を示す斜視図。
【図２】一実施形態の巻回体入り収納容器における内部構造を示す斜視図。
【図３】一実施形態の収納容器を製造するための中間体の構造を示す平面図であり、収納容器を展開した図である。
【発明を実施するための形態】
【００１７】
図１〜図３を参照して、収納容器、および、巻回体入り収納容器の一実施形態について説明する。なお、図１では、長尺物が使用される前の巻回体入り収納容器の外観構成を説明する便宜上、収納容器が備える抑え板の図示を割愛し、巻回体入り収納容器の内部構成を示す図２において、収納容器が備える抑え板を図示する。
【００１８】
図１が示すように、巻回体入り収納容器は、収納容器１０と、長尺物の一例であるラップフィルム５０の巻回体５０Ｒとを備える。収納容器１０は、容器本体２０と蓋体３０とを備える。収納容器１０は、蓋体３０が閉じている状態で、一方向（左右方向）に延びる直方体状を有する。容器本体２０と蓋体３０とは、例えば、コートボール紙などの１枚の厚紙を折り曲げることによって製造される。容器本体２０を構成する各板、および、蓋体３０を構成する各板は、複数の板部材が積層された積層体として構成することも可能であり、樹脂などの紙以外の材料で構成することも可能である。
【００１９】
容器本体２０は、上面が開口した箱状を有し、前板２１、後板２２、右板２３、左板２４、および、底板２５を備える。前板２１、後板２２、右板２３、および、左板２４は、底板２５から立設する周壁を構成する。周壁の上辺は、容器本体２０の開口２０Ｔ（図２参照）を区画する。容器本体２０は、水平面に沿った一方向に延び、水平面と直交する上方向に向けて開口している。
【００２０】
容器本体２０は、ラップフィルム５０の巻回体５０Ｒを収納する。巻回体５０Ｒは、例えば、円筒状を有する紙製の管５０Ｃを備え、ラップフィルム５０が管５０Ｃに巻き付けられている。巻回体５０Ｒの軸方向Ａは、収納容器１０が延びる左右方向とほぼ平行である。ラップフィルム５０は、例えば、ポリ塩化ビニリデン、ポリ塩化ビニル、ポリエチレン、ポリメチルペンテンからなる群から選択されるいずれか１つを原材料とするフィルム、もしくは、これらを組み合わせた多層フィルムなどが挙げられ、これらに限定されるものではない。
【００２１】
なお、図１では、底板２５が水平面と当接するように収納容器１０が配置された状態、これを基準として、底板２５に対する開口２０Ｔの側を上側、開口２０Ｔに対する底板２５の側を下側として説明する。また、水平面と直交する方向であって、底板２５から開口２０Ｔに向けた方向を高さ方向として説明する。
【００２２】
前板２１、後板２２、および、底板２５は、左右方向に延びる矩形板状を有する。前板２１と後板２２とは、前後方向に向かい合う。底板２５は、前板２１と後板２２との間に位置し、底板２５の前辺は、前板２１の下辺であり、底板２５の後辺は、後板２２の下辺である。右板２３、および、左板２４は、互いにほぼ同形の矩形板状を有し、左右方向に向かい合う。右板２３の下辺は、前板２１の下辺、後板２２の下辺、および、底板２５の左右辺に繋がる。左板２４の下辺もまた、前板２１の下辺、後板２２の下辺、および、底板２５の左右辺に繋がる。
【００２３】
収納容器１０の製造に際して、前板２１は、底板２５とのなす角度がほぼ直角となるように、底板２５と前板２１との境界である罫線Ｌ（図３参照）で折り曲げられる。後板２２もまた、底板２５とのなす角度がほぼ直角となるように、底板２５と後板との境界である罫線Ｌで折り曲げられる。
【００２４】
右板２３は、３枚のフラップ１３Ｆ，２３Ｆ，５３Ｆ（図３参照）で構成されている。左板２４もまた、３枚のフラップ１４Ｆ，２４Ｆ，５４Ｆ（図３参照）で構成されている。収納容器１０の製造に際して、右板２３の形成では、まず、後板２２に対して罫線ＬＴでフラップ２３Ｆが折りたたまれ、次いで、前板２１に対して罫線ＬＴでフラップ１３Ｆが折りたたまれ、最後に、底板２５に対して罫線ＬＴでフラップ５３Ｆが折りたたまれる。左板２４の形成でも、まず、後板２２に対して罫線ＬＴでフラップ２４Ｆが折りたたまれ、次いで、前板２１に対して罫線ＬＴでフラップ１４Ｆが折りたたまれ、最後に、底板２５に対して罫線ＬＴでフラップ５４Ｆが折りたたまれる。そして、フラップ１３Ｆ，２３Ｆ，５３Ｆの間、および、フラップ１４Ｆ，２４Ｆ，５４Ｆの間が、ホットメルトなどの糊剤で接着される。
【００２５】
図１に戻り、蓋体３０は、上板３１、蓋前板３２、蓋右板３３、および、蓋左板３４を備える。上板３１は、底板２５とほぼ同形の矩形板状を有し、後板２２の上辺に回動可能に連設されている。上板３１は、上板３１の後辺を軸として、容器本体２０に対して回転し、容器本体２０の開口２０Ｔを開閉する。蓋体３０が開口２０Ｔを閉じた状態で、上板３１は、開口２０Ｔを覆い、底板２５と高さ方向で向かい合う。
【００２６】
蓋右板３３、および、蓋左板３４は、互いにほぼ同形の矩形板状を有する。蓋右板３３と蓋左板３４の各上辺は、上板３１における左右辺である。蓋右板３３は、蓋体３０が開口２０Ｔを閉じた状態で、右板２３の側方から右板２３の上部を覆う。蓋左板３４は、蓋体３０が開口２０Ｔを閉じた状態で、左板２４の側方から左板２４の上部を覆う。蓋右板３３、および、蓋左板３４は、上板３１の左右方向の両端部に連設された、左右で一対のフラップ３３Ｆ，３４Ｆ（図３参照）を外表面として備える。各フラップ３３Ｆ，３４Ｆは、収納容器１０の製造過程において、罫線ＬＴ（図３参照）で折り曲げられて、蓋右板３３、および、蓋左板３４の外表面を構成する。
【００２７】
蓋前板３２、および、前板２１は、互いにほぼ同形の矩形板状を有する。蓋前板３２の上辺は、上板３１の前辺である。蓋前板３２は、蓋体３０が開口２０Ｔを閉じた状態で、前板２１の全体を前側から覆う。蓋前板３２は、高さ方向の中間よりも底板２５の側に、左右方向のほぼ全幅にわたり、左半円状の切り込み部３２Ｃを備える。
【００２８】
切り込み部３２Ｃの後面（内面）は、前板２１の前面と接着されている。蓋前板３２における高さ方向のほぼ中央は、左右方向の全幅にわたるミシン目線３２Ｍを備える。ミシン目線３２Ｍの左右方向における中央は、高さ方向での頂部であって、ミシン目線３２Ｍは、頂部を下方に向けたＶ字状を有する。ミシン目線３２Ｍを切断する方向は、蓋前板３２を高さ方向に２分割することに適した方向である。ミシン目線３２Ｍの右端は、ミシン目線３２Ｍに沿って蓋前板３２の切断を開始するための開封端３２Ｅである。
【００２９】
そして、開封端３２Ｅが前側に引っ張られると、ミシン目線３２Ｍで蓋前板３２が切断される。また、前板２１と蓋前板３２との接着が、切り込み部３２Ｃで引き剥がされて、蓋前板３２の左右方向の全幅が、ミシン目線３２Ｍを境にして、下側半分と上側半分とに分割される。蓋前板３２のなかでミシン目線３２Ｍに区画された上側半分は、掩蓋板３２Ｐである。蓋前板３２のなかでミシン目線３２Ｍに区画された下側半分は、蓋前板部分３２Ｋ（図３参照）であり、ラップフィルム５０の使用の開始に際して、容器本体２０から切り離される。なお、蓋前板３２の下側半分である蓋前板部分３２Ｋが切り離されると、掩蓋板３２Ｐの下端辺から、切断刃４０（図２を参照）の刃先の全体が露出する。そして、蓋体３０が後板２２の上辺で回動することによって、掩蓋板３２Ｐが前板２１から離れる方向へ回動し、それによって、容器本体２０の開口２０Ｔが開放される（図２を参照）。
【００３０】
掩蓋板３２Ｐは、蓋体３０が開口２０Ｔを閉じた状態で、上板３１の前辺から底板２５に向けて延びる板状を有し、前板２１の前側から前板２１の上部を覆う。掩蓋板３２Ｐにおける高さ方向の幅は、蓋体３０が開口２０Ｔを閉じた状態で、左右方向の端部で最も小さく、左右方向の中央部で大きい。収納容器１０の製造に際して、掩蓋板３２Ｐは、上板３１に対して罫線Ｌ（図３参照）で折り曲げられる。
【００３１】
図２が示すように、掩蓋板３２Ｐの後面（内面）には、切断刃４０が取り付けられている。切断刃４０は、左右方向に並ぶ刃先を有した鋸刃状を有する。切断刃４０は、蓋体３０が開口２０Ｔを閉じた状態で、複数の刃先が掩蓋板３２Ｐから下方に突出するように、掩蓋板３２Ｐに接合されている。掩蓋板３２Ｐに切断刃４０を取り付ける方法は、例えば、掩蓋板３２Ｐと切断刃４０との間にシーラント材や接着層を介在させて、超音波接着によって行われる。なお、切断刃４０の刃先は、ラップフィルム５０の利用時に、掩蓋板３２Ｐから露出する構成であればよく、例えば、巻回体入り収納容器の保管時や運搬時には、他の板部材で覆われていてもよい。
【００３２】
切断刃４０を構成する材料は、特に限定されず、例えば、樹脂、あるいは、金属である。切断刃４０は、例えば、樹脂と添加剤とを含み、添加剤の種類や、その添加量によって、切断刃４０の剛性や、掩蓋板３２Ｐに対する切断刃４０の接着性を調整することができる。切断刃４０を構成する樹脂は、例えば、ポリ乳酸などのポリエステル樹脂、ポリエチレン、ポリプロピレン、ポリスチレン、アセタール樹脂、ポリフェニレンサルファイド、ＰＥＥＫ（ポリエーテルエーテルケトン）樹脂、ＰＥＳ（ポリエーテルサルフォン）樹脂である。切断刃４０を構成する添加剤は、例えば、オレフィン系樹脂などの樹脂や、硫酸バリウム、炭酸カルシウム、酸化チタン、シリカ、タルクなどの無機材料である。
【００３３】
右板２３の上部は、前後方向に延びる蓋係止片３Ｔを備える。蓋係止片３Ｔは、右板２３の上端部を右側（外側）に折り曲げた部分であり、容器本体２０の外側に突き出ている。左板２４の上部は、前後方向に延びる蓋係止片４Ｔを備える。蓋係止片４Ｔは、左板２４の上端部を左側（外側）に折り曲げた部分であり、容器本体２０の外側に突き出ている。蓋係止片３Ｔは、フラップ５３Ｆ（図３参照）の先端部であり、蓋係止片４Ｔは、フラップ５４Ｆ（図３参照）の先端部である。収納容器１０の製造に際して、蓋係止片３Ｔ，４Ｔは、フラップ５３Ｆ，５４Ｆに対して罫線ＬＴ（図３参照）で折り曲げられる。
【００３４】
掩蓋板３２Ｐは、右掩蓋フラップ３２３と左掩蓋フラップ３２４とを備える。右掩蓋フラップ３２３は、蓋右板３３の内表面を構成し、左掩蓋フラップ３２４は、蓋左板３４の内表面を構成する。右掩蓋フラップ３２３は、上板３１と離れて位置し、フラップ３３Ｆの内表面に、上板３１と右掩蓋フラップ３２３とに挟まれた窪みである段差部３３Ｓを形成する。左掩蓋フラップ３２４もまた、上板３１と離れて位置し、フラップ３４Ｆの内表面に、上板３１と左掩蓋フラップ３２４とに挟まれた窪みである段差部３４Ｓを形成する。
【００３５】
上述した各蓋係止片３Ｔ，４Ｔは、蓋体３０が開口２０Ｔを閉じるとき、これら段差部３３Ｓ，３４Ｓに嵌まり込み、クリック音を発生させて、段差部３３Ｓ，３４Ｓと係合する。各蓋係止片３Ｔ，４Ｔは、閉状態で上板３１が浮き上がることを抑える。
【００３６】
右板２３の上部は、前後方向に延びる抑え板係止片３Ｒを備える。抑え板係止片３Ｒは、右板２３の上端部を左側（内側）に折り曲げた部分であり、容器本体２０の内側に突き出ている。左板２４の上部は、前後方向に延びる抑え板係止片４Ｒを備える。抑え板係止片４Ｒは、左板２４の上端部を右側（内側）に折り曲げた部分であり、容器本体２０の内側に突き出ている。左右で一対の抑え板係止片３Ｒ，４Ｒは、各フラップ１３Ｆ，１４Ｆ（図３参照）の上端部に罫線ＬＶ（図３参照）を介して連設され、収納容器１０の内側に罫線ＬＶで折り曲げられることによって形成される。なお、図３が示すように、抑え板２６の左右方向の両端には、抑え板２６と前板２１との境界である罫線Ｌを基端として、左右で一対の折り込み片２３６，２４６が位置する。各折り込み片２３６，２４６は、抑え板２６から切断されており、抑え板係止片３Ｒ，４Ｒと連設されている。各折り込み片２３６，２４６は、収納容器１０の製造過程において、収納容器１０の内側に折り込まれて、各抑え板係止片３Ｒ，４Ｒを下方から支持する。そして、各抑え板係止片３Ｒ，４Ｒは、抑え板２６をその両端で係止し、抑え板２６が前辺（上辺２１Ｔ）を軸に回動して浮き上がることを抑える。
【００３７】
容器本体２０は、左右方向に延びる抑え板２６を備える。抑え板２６の前辺は、前板２１における上辺２１Ｔの一部である。抑え板２６は、前板２１の上辺２１Ｔを介して、前板２１に連設されている。抑え板２６は、左右方向に延びる後辺２６Ｂを備える。後辺２６Ｂの左右方向での長さは、前辺よりも長い。
【００３８】
抑え板２６は、抑え板２６の後辺２６Ｂと、後板２２との間に、隙間２０Ｇを空けて、開口２０Ｔの一部を覆う。隙間２０Ｇは、左右方向に延びる空間であり、ラップフィルム５０を引き出すための空間である。抑え板２６は、前板２１の上辺２１Ｔを中心として回転し、開口２０Ｔに空けられた隙間２０Ｇから、ラップフィルム５０の端を引き出すための操作を可能とする。隙間２０Ｇから引き出されたラップフィルム５０は、抑え板２６の上方に引き出される。抑え板２６は、開口２０Ｔの一部（前側）を覆い、容器本体２０内にラップフィルム５０が巻き戻ることを抑える。
【００３９】
抑え板２６の後辺２６Ｂは、左右方向に延びる緩やかなＶ字状を有する。抑え板２６の後辺２６Ｂと後板２２との距離は、左右方向の両端部において最も小さく、左右方向の中央において最も大きい。抑え板２６の後辺２６Ｂは、左右方向の両端において、左右方向の外側に突き出る湾曲状を有する。
【００４０】
隙間２０Ｇからラップフィルム５０が引き出されるとき、引き出されるラップフィルム５０は、抑え板２６の後辺２６Ｂと接触する。後辺２６Ｂの中央部と後板２２との間は、大きな開口を空けており、使用の際、最初にラップフィルム５０を引き出す操作や、巻回体５０Ｒを出し入れする操作での負荷を軽減する。また、後辺２６ＢのなだらかなＶ字形状は、ラップフィルム５０の引出しの際に、ラップフィルム５０が抑え板２６に引っかかり、ラップフィルム５０が引き出し難くなることを抑える。
【００４１】
抑え板２６の上面は、段差構造の一例である突部２６Ｔを備える。段差構造は、凹構造、または、凸構造であり、本実施の形態では、凸構造の一例を示す。突部２６Ｔは、左右方向に平行な直線状を有する。抑え板２６の上面は、蓋体３０が開口２０Ｔを閉じた状態で、蓋体３０の上板３１と対向する。突部２６Ｔは、蓋体３０が開口２０Ｔを閉じた状態で、上板３１に向かって突き出る。突部２６Ｔは、例えば、上方に向けて凸となる型押しによるエンボス加工によって形成される。また、突部２６Ｔは、例えば、抑え板２６の上面に滴下されたインクの硬化によって形成される。また、突部２６Ｔは、例えば、収納容器の中間体を裁断するときの型押しによって形成される。
【００４２】
突部２６Ｔは、例えば、視認可能な大きさを有する。左右方向（軸方向）において突部２６Ｔが位置する範囲は、例えば、抑え板２６の３０％以上、好ましくは５０％以上、さらに好ましくは７０％以上である。突部２６Ｔが抑え板２６の３０％以上に位置する構成では、摩擦力を軽減して引き出し性の向上が認められ、５０％以上であると、さらに引き出し性が安定し、７０％以上であると、より顕著に引出し性を向上させることが可能となる。突部２６Ｔは、引き出し性の向上と、仮止め性の向上とを考慮し、突部２６Ｔの位置する範囲を適宜調整することが好ましい。また、突部２６Ｔの高さや長さ、数量なども適宜調整することが好ましい。なお、突部２６Ｔの高さは、好ましくは０．０３ｍｍ以上、より好ましくは０．１０ｍｍ以上、さらに好ましくは０．１５ｍｍ以上である。突部２６Ｔの高さが０．０３ｍｍ以上であると、摩擦力の軽減効果が確認され、０．１０ｍｍ以上であると、より安定した摩擦力の軽減効果があり、０．１５ｍｍ以上であると、さらに明確な高低差が確保されるため、摩擦力の軽減効果を確実なものにすることが可能となる。
【００４３】
隙間２０Ｇから引き出されるラップフィルム５０は、抑え板２６の後辺２６Ｂの他に、抑え板２６の上面とも接触する。この際、抑え板２６の上面のなかでラップフィルム５０と接触する部位は、突部２６Ｔの位置する範囲においては、突部２６Ｔの頂部に制限される。すなわち、突部２６Ｔを備えた抑え板２６は、上面が平坦面である構成と比べて、ラップフィルム５０と接触する面積を小さくする。そして、抑え板２６における突部２６Ｔは、抑え板２６とラップフィルム５０との摩擦を抑え、それによって、ラップフィルム５０の引き出しに伴う抵抗感を抑える。
【００４４】
なお、抑え板２６の上面は、段差構造の一例として凹構造を備えることも可能である。抑え板２６の上面は、蓋体３０が開口２０Ｔを閉じた状態で、蓋体３０の上板３１と対向する。凹構造は、蓋体３０が開口２０Ｔを閉じた状態で、容器本体２０の内部に向かって突き出る。凹構造は、例えば、下方に向けて凹となる型押しによるエンボス加工によって形成される。また、凹構造は、例えば、収納容器の中間体を裁断するときの型押しによって形成される。
【００４５】
凹構造は、例えば、視認可能な大きさを有する。左右方向（軸方向）において凹構造が位置する範囲は、例えば、抑え板２６の３０％以上、好ましくは５０％以上、さらに好ましくは７０％以上である。凹構造が抑え板２６の３０％以上に位置する構成では、摩擦力の低減効果が確認され、５０％以上であると、さらに摩擦力低減が期待でき、７０％以上であると、より安定した摩擦力の低減、および、引き出し性の向上が期待できる。凹構造は、引き出し性の向上と、仮止め性の向上とを考慮し、凹構造の位置する範囲を適宜調整することが好ましい。また、凹構造の深さや長さ、数量なども適宜調整することが好ましい。なお、凹構造の深さは、好ましくは０．０３ｍｍ以上、より好ましくは０．１０ｍｍ以上、さらに好ましくは０．１５ｍｍ以上である。凹構造の深さが０．０３ｍｍ以上であると、摩擦力の軽減効果が確認され、０．１０ｍｍ以上であると、より安定した摩擦力の軽減効果があり、０．１５ｍｍ以上であると、さらに明確な高低差が確保されるため摩擦力の軽減効果を確実なものにすることが可能となる。
【００４６】
なお、ラップフィルム５０と抑え板２６との接触する部位は、ラップフィルム５０に作用する張力などの違いによってばらつきを生じる。この点、突部２６Ｔの位置する範囲が、左右方向において抑え板２６の３０％以上であれば、ラップフィルム５０と接触する部位に突部２６Ｔを配置させることが容易ともなる。さらに、本実施の形態では、抑え板２６のなかで前後方向に大きい面積を有する部分、すなわち、左右方向の両端部に突部２６Ｔを配することで、突部２６Ｔの配することに足りる面積を確保し、引き出し抵抗の増加を効果的に軽減することが可能となる。
【００４７】
抑え板２６の上面は、仮止め部２６Ｓを備える。仮止め部２６Ｓは、ラップフィルム５０との接触を通じて、仮止め部２６Ｓにラップフィルム５０を仮止めする機能を備える。仮止め部２６Ｓは、ラップフィルム５０に付着するが、紙や埃などには付着しない特性を有する。仮止め部２６Ｓに付着したラップフィルム５０は、抑え板２６の上面と平行な方向（せん断方向）において、ラップフィルム５０と強く付着する一方で、抑え板２６の上面と垂直な方向（面から引き離す方向）において、比較的弱く付着する。仮止め部２６Ｓを備える構成であれば、ラップフィルム５０が張力の解除や振動で容器本体２０の内部に巻き戻ろうとする動きがあったときに、抑え板２６の上面に位置する仮止め部２６Ｓとラップフィルム５０とが接触し、それによって、ラップフィルム５０の巻き戻りを抑えることが可能となる。
【００４８】
仮止め部２６Ｓは、抑え板２６の上面において、例えば、突部２６Ｔ以外の部位に位置する。特に、段差構造として突部２６Ｔを備える構成では、突部２６Ｔの周囲に仮止め部２６Ｓが位置するため、ラップフィルム５０の引き出しに際して、仮止め部２６Ｓとラップフィルム５０とが接触し難くなり、それによって、仮止め部２６Ｓによる引き出し抵抗を軽減することが可能となる。
【００４９】
すなわち、仮止め部２６Ｓが突部２６Ｔの周囲に位置する構成であれば、ラップフィルム５０が隙間２０Ｇから引き出されるとき、ラップフィルム５０は、それに作用する張力によって十分に張られた状態で、突部２６Ｔの頂部と接触し、その周囲の仮止め部２６Ｓには接触し難い状態となる。それゆえに、引き出し性を高めることに適している。さらに、ラップフィルム５０の切断が終了したとき、ラップフィルム５０は、それに作用する張力を解かれて弛んだ状態で、抑え板２６の上面に接触する。結果として、ラップフィルム５０と仮止め部２６Ｓとの接触が促される。それゆえに、ラップフィルム５０の巻き戻りの抑制を図ることに適している。
【００５０】
また、仮止め部２６Ｓは、突部２６Ｔに隣接することが好ましい。仮止め部２６Ｓが突部２６Ｔに隣接する構成であれば、ラップフィルム５０の引き出しの際に、仮止め部２６Ｓとラップフィルム５０とがさらに接触し難くなるため、仮止め部２６Ｓによる引き出し抵抗を、ラップフィルム５０の引き出しに際して、さらに軽減することが可能となる。
【００５１】
なお、段差構造が凹構造を備える構成であれば、仮止め部２６Ｓは、例えば、抑え板２６の上面において、凹構造の底部に位置することが好ましい。凹構造の底部に仮止め部２６Ｓを備える構成であれば、ラップフィルム５０の引き出しに際して、ラップフィルム５０が仮止め部２６Ｓに接触することを効果的に抑えることが可能となる。それゆえに、凹構造を備えない構成と比べて、ラップフィルム５０の引き出し性を向上させることが可能であり、かつ、ラップフィルム５０の切断が終了した後には、ラップフィルム５０の巻き戻りを抑えることが可能ともなる。
【００５２】
仮止め部２６Ｓは、例えば、JIS Z-0237:2009「粘着テープ・粘着シート試験方法」に準じた測定において、下記条件１を満たすニス層である。なお、下記条件１は、幅２５ｍｍのニス層のサンプル片とラップフィルム５０との間で得られる値である。
条件１：ズリ強度が５．８Ｎ／２５ｍｍ以上
【００５３】
サンプル片とラップフィルムとのズリ強度は、ラップフィルム５０をニス層に対して平行（せん断方向）にずらしたときのズリ強度を意味する。条件１を満たす構成であれば、ラップフィルム５０が張力の解除や振動で巻き戻りはじめる場合でも、ラップフィルム５０に対する係止効果が高く、ラップフィルム５０が抑え板２６からずれ落ちることを抑制することが可能となる。結果として、ラップフィルム５０の巻き戻りを仮止め部２６Ｓで的確に抑えることが可能となる。
【００５４】
また、仮止め部２６Ｓは、例えば、JIS Z-0237:2009「粘着テープ・粘着シート試験方法」に準じた測定において、下記条件２を満たすニス層とすることも可能である。
条件２：Ｔ型剥離強度が５．０×１０−２Ｎ／２５ｍｍ以下
【００５５】
サンプル片とラップフィルム５０とのＴ型剥離強度は、ラップフィルム５０をニス層に対して垂直に引っ張りあげたときのＴ型剥離強度を意味する。条件２を満たす構成であれば、抑え板２６の上面からラップフィルム５０を上方に向けて剥がすことが容易となる。また、ラップフィルム５０の引き出しもさらに容易になる。結果として、仮止め部２６Ｓによる抵抗感の高まりを、Ｔ型剥離強度の規定によって適切な範囲に収めることが可能ともなる。
【００５６】
仮止め部２６Ｓの左右方向における幅は、例えば、ラップフィルム５０の有する幅の３０％以上、好ましくは５０％以上、更に好ましくは７０％以上である。仮止め部２６Ｓの左右方向における幅が、ラップフィルム５０の有する幅の３０％以上であれば、抑え板２６の上面の仮止め部２６Ｓにラップフィルム５０が係止される可能性が高くなり、巻き戻りを的確に抑えることが可能ともなる。特に、ラップフィルム５０の左右方向における端部を仮止めすることが可能ともなるため、ラップフィルム５０の切断端が巻き戻ることを、より確実に抑えることが可能ともなる。また、仮止め部２６Ｓの左右方向における幅が、ラップフィルム５０が有する幅の５０％以上であれば、さらに係止される可能性が高まり、７０％以上であれば、ラップフィルム５０の切断端が左右方向に対して斜めである場合でも、巻き戻り発生の可能性を低く抑えることが可能となる。なお、仮止め部２６Ｓは、引き出し性の向上と巻き戻りの抑制との要請に合わせて、適時縞状や点状などの様々な形状パターンで、面積や位置を確保することも可能である。
【００５７】
仮止め部２６Ｓはラップフィルムの引き出し性の向上と、巻き戻りの防止とを両立させるため、突部２６Ｔの周囲に位置することが好ましい。ただし、巻き戻りの抑制や、ラップフィルム５０の切断性を重視する観点では、突部２６Ｔから離れた位置に仮止め部２６Ｓを配することも可能である。例えば、突部２６Ｔを抑え板２６の端部に形成し、ラップフィルムの全幅にわたり仮止め部２６Ｓを配することで、巻き戻りの抑制機能を高め、かつ、切断時にラップフィルム５０がずれることを抑えて、切断性を向上させることが可能ともなる。仮止め部２６Ｓは、重視される各機能に応じ、抑え板２６と前板２１の境界である上辺２１Ｔの付近に塗布したり、抑え板２６の上面から前板２１の上辺２１Ｔをまたいで前板２１側に塗布したりすることも可能である。このように構成すると、引き出したラップフィルム５０が仮止め部２６Ｓに係止され、巻き戻りを抑制することができる。
［作用］
【００５８】
収納容器１０に収納されたラップフィルム５０が利用されるとき、利用者は、例えば、ラップフィルム５０の先端を右手で把持し、蓋体３０が開けられた収納容器１０を左手で握る。次いで、利用者は、仮止め部２１Ｓ，２６Ｓからラップフィルム５０を引き上げるように離し、所望の長さのラップフィルム５０を巻回体５０Ｒから引き出して、蓋体３０を閉じる。この際、巻回体５０Ｒから引き出されるラップフィルム５０は、抑え板２６の後辺２６Ｂにおける左右方向の両端部、および、抑え板２６の上面における左右方向の両端部で、他の部位よりも強く抑え板２６と接触する。すなわち、巻回体５０Ｒから引き出されるラップフィルム５０は、他の部位よりも強く突部２６Ｔが位置する範囲と接触する。結果として、ラップフィルム５０と抑え板２６との間の摩擦が、突部２６Ｔによって抑えられて、ラップフィルム５０が円滑に引き出される。
【００５９】
次に、利用者は、掩蓋板３２Ｐの中央部を左手の親指で押さえながら、左右方向に沿う中心軸を中心として、収納容器１０を回転させる。これによって、切断刃４０の刃先がラップフィルム５０に刺し込まれ、ラップフィルム５０が切断される。そして、ラップフィルム５０の切断端が、掩蓋板３２Ｐと前板２１との間に位置する状態で、ラップフィルム５０が収納容器１０で保持される。この際、巻回体５０Ｒから引き出されたラップフィルム５０は、抑え板２６の上面に沿って引き回され、かつ、前板２１の上辺２１Ｔで折れ曲がり、掩蓋板３２Ｐの内面と、前板２１の前面とに挟まれる。すなわち、巻回体５０Ｒから引き出されたラップフィルム５０が、各仮止め部２１Ｓ，２６Ｓと接触するように、ラップフィルム５０が保持される。結果として、仮止め部２１Ｓ，２６Ｓによる仮止めが、ラップフィルム５０に作用して、ラップフィルム５０の巻き戻りが抑えられる。
【００６０】
以上、上記実施形態によれば、以下に示す効果を得ることができる。
（１）ラップフィルム５０と接触する面積を突部２６Ｔが小さくするため、ラップフィルム５０の引き出しに伴う抵抗感を抑えることが可能となる。
（２）隙間２０Ｇを空けて開口２０Ｔの一部を抑え板２６が覆うため、容器本体２０の内部にラップフィルム５０が巻き戻ることを抑えることが可能となる。
【００６１】
（３）抑え板２６の上面が、突部２６Ｔと、仮止め部２６Ｓとを備える構成であれば、突部２６Ｔによる引き出し性の向上と、仮止め部２６Ｓによる巻き戻りの抑制とが可能となる。そして、抑え板２６の上面のなかで、引き出し性を高めやすい部位に突部２６Ｔを配置すること、および、巻き戻りを抑えやすい部位に仮止め部２６Ｓを配置することが可能ともなる。それゆえに、巻き戻りの抑制と、引き出し性の向上との両立を図りやすい構成を提供することが可能であって、また、これらを両立させるための設計の自由度を高めることが可能ともなる。
【００６２】
（４）段差構造が凹構造を備える構成では、ラップフィルム５０が引き出される際に、凹構造以外の部分と、ラップフィルム５０とが接触しやすい。そして、凹構造の占める面積を適宜確保することによって、ラップフィルム５０の引き出しに要する摩擦の抵抗を軽減することが可能となる。そのため、上記（３）に準じた効果を得られる。
【００６３】
（５）仮止め部２６Ｓが条件１を満たす構成であれば、ラップフィルム５０の巻き戻りを仮止め部２６Ｓで的確に抑えることが可能となる。また、仮止め部２６Ｓが条件２を満たす構成であれば、抑え板２６の上面からラップフィルム５０を上方に向けて剥がすことが容易となる。それゆえに、仮止め部２６Ｓによる抵抗感の高まりを、適切な範囲に収めることが可能ともなる。
【００６４】
（６）仮止め部２６Ｓの左右方向での幅が、ラップフィルム５０が有する幅の３０％以上となる構成であれば、抑え板２６の上面とラップフィルム５０との接触する部位が、左右方向でばらつくとしても、ラップフィルム５０の巻き戻りを的確に抑えることが可能ともなる。
（７）抑え板２６の上面と、前板２１の前面上端とに跨る仮止め部２６Ｓは、前板２１の前面や、前板２１の上辺２１Ｔなどにおいても、ラップフィルム５０と接触する。それゆえに、仮止め部２６Ｓによる巻き戻りの抑制が、抑え板２６の上面のみならず、前板２１の上辺２１Ｔなどにおいて、より的確に実現される。
【００６５】
（８）収納容器１０は、１枚の板紙から切り出され、それが折り曲げられることによって製造される。そのため、前板２１と抑え板２６とが別体である構成と比べて、開口２０Ｔの一部を覆うように抑え板２６を配置することが容易である。そして、収納容器１０を備えた巻回体入り収容箱においても、自ずとその製造が容易になる。
【００６６】
なお、上記実施形態は、以下のように変更して実施することもできる。
［段差構造］
・凸構造と凹構造との組み合わせとして段差構造を構成することも可能である。凸構造と凹構造との組み合わせであれば、抑え板２６の上面における段差を大きくすることが可能であるから、引き出し性をさらに向上すること、また、巻き戻りをさらに抑制することが可能となる。
【００６７】
・段差構造は、抑え板２６の上面が備える複数の凸構造、および、複数の凹構造のすくなくとも一方によって構成することも可能である。なお、各凹構造は、収納容器中間体の裁断時に穿孔によって形成される貫通孔に具体化することも可能である。
【００６８】
・段差構造は、抑え板２６の上面において、左右方向の中央に偏在することも可能である。また、段差構造は、抑え板２６の上面において、左右方向のほぼ全体にわたり均一に分布することも可能である。
【００６９】
・凸構造は、半球状の突起と、線状の突条との組み合わせに変更することも可能である。なお、凸構造を直線状に構成することによって、引き出し性を向上させて、かつ、幅広く仮止め部２６Ｓを配することが可能であり、また、抑え板２６がゆがみ難くする効果も期待できる。
【００７０】
［抑え板２６の構成］
・抑え板２６は、後板２２の上辺に連設されることも可能である。また、抑え板２６は、右板２３の上辺、あるいは、左板２４の上辺に連設されることも可能である。すなわち、抑え板２６は、前板２１、後板２２、右板２３、および、左板２４のいずれか１つの上辺に連設される構成であればよい。
・抑え板２６の形状は、後辺２６Ｂが左右方向に延びる緩やかなＶ字状としたが、それに限定されるものではなく、Ｖ字状以外の形状でもよい。
【００７１】
［仮止め部２６Ｓの構成］
・仮止め部２６Ｓは、左右方向のほぼ全幅にわたる帯状に変更することも、また、左右方向に点在する構成に変更することも可能である。また、仮止め部２６Ｓは、抑え板２６の上面内に位置する構成に変更することも可能である。
【００７２】
・仮止め部２６Ｓは、段差構造よりも後側に位置する構成に変更することも可能である。さらに、仮止め部２６Ｓが前後方向において段差構造に挟まれる構成や、複数の段差構造と複数の仮止め部２６Ｓとが抑え板２６の上面に散在する構成に変更することも可能である。なお、段差構造が仮止め部２６Ｓよりも隙間２０Ｇの側に位置する構成であれば、引き出し性を高めやすい部位に突部２６Ｔを配置し、かつ、巻き戻りを抑えやすい部位に仮止め部２６Ｓを配置することが容易ともなる。
【００７３】
［その他］
・容器本体２０と蓋体３０とは、別体として構成することも可能である。
・長尺物は、アルミニウム箔やクッキングシートに変更することも可能である。
【符号の説明】
【００７４】
Ａ…軸方向、１０…収納容器、２０…容器本体、２０Ｇ…隙間、２０Ｔ…開口、２１…前板、２１Ｓ…仮止め部、２１Ｔ…上辺、２２…後板、２３…右板、２４…左板、２５…底板、２６…抑え板、２６Ｓ…仮止め部、３０…蓋体、３１…上板、３２Ｐ…掩蓋板、４０…切断刃、５０Ｒ…巻回体。
【図１】
2019099183.tif 000003
【図２】
2019099183.tif 000004
【図３】
2019099183.tif 000005